(57)【特許請求の範囲】
【請求項１】
地中に埋設される外パイプの上端開口に、筒部と鍔部とを有するガイドブッシュが挿装され、このガイドブッシュの鍔部が、外パイプの上端外周に取り付けられたフランジ部材に対してビス固定され、内ポール挿通孔が設けられた逆皿状のガイドカバーが上記ガイドブッシュに被せられ、ガイドカバーの周縁部内面に突設された係合爪がガイドブッシュの周縁部外面に形成された係合凹部に弾性的に係合することにより、ガイドカバーがガイドブッシュに嵌装されたことを特徴とする出没式柵柱の上蓋構造。
【請求項２】
ガイドブッシュの筒部内面には、内ポールに突設されたアンカーピンを案内するガイド溝が設けられ、このガイド溝は、下方に開口してガイドブッシュの上部近傍で行き止まる縦溝と、縦溝の上端から横向きに延びる横溝と、横溝の延長先から下降する落込溝と、上記縦溝の上端よりもやや低い位置から上記横溝の反対向きに延びる逃がし溝と、逃がし溝の延長先から上向きに延びて上方に開口する抜取溝とを有することを特徴とする請求項１に記載の出没式柵柱の上蓋構造。
【請求項３】
フランジ部材の外側に、周縁に襟部が立ち上げられた略皿状のガイドリングが取り付けられ、上記の襟部の内側にガイドカバーの周縁部が挿装されるとともに、上記鍔部の上端とガイドカバーの天面とが、地表面と面一になるように設置されたことを特徴とする請求項１又は２に記載の出没式柵柱の上蓋構造。
【発明の詳細な説明】
【技術分野】
【０００１】
本発明は、地中に埋設される外パイプと、該外パイプに収納され必要に応じ地上へ引き上げられて立設される内ポールとからなる出没式柵柱の、とくに地表面に設けられる外パイプの上蓋構造に関する。
【背景技術】
【０００２】
本出願人は従来より、図３〜図５に示すような構造の出没式柵柱１を開発し、実用化している（例えば、特許文献１〜４等）。この種の出没式柵柱１の基本的構造は、地中に埋設される外パイプ２と、この外パイプ２内に挿脱自在に保持される内ポール３とからなり、使用時には内ポール３が地上に引き出された状態で固定され、不使用時には内ポール３が外パイプ２内に下降して収納される。
【０００３】
図４は、地表面に設けられる外パイプ２の上蓋部分の構造を示す。外パイプ２の上端にはフランジ部材４が取り付けられる。フランジ部材４は、短筒部４１の上縁から周方向に鍔片４２を張り出した部材で、短筒部４１が外パイプ２の外周面に嵌装されて溶接により固定されている。外パイプ２の上端開口からフランジ部材４の鍔片４２にかけては、ＡＢＳ樹脂等の高潤滑性樹脂からなるガイドブッシュ５が挿装される。このガイドブッシュ５は、筒部５１と鍔部５２とを有し、筒部５１が外パイプ２内に挿入されて内ポール３の外周面に接触することにより、内ポール３の昇降を安定させ、昇降時の摩擦抵抗を低減させる。ガイドブッシュ５の上面には、内ポール挿通孔６１が形成された逆皿状のガイドカバー６が被せられる。ガイドカバー６は、その上側から取着されるビス７により、ガイドブッシュ５の鍔部５２ともにフランジ部材４に対してビス止めされる。
【０００４】
内ポール３の下部には、外方に突出するアンカーピン８が設けられる。このアンカーピン８は、内ポール３を引き上げたときにガイドブッシュ５の内面に形成されたガイド溝５３に係合する。ガイド溝５３は、図４中に破線で示すように、ガイドブッシュ５を上下方向に貫通する縦溝５３ａと、ガイドカバー６の直下にて縦溝５３ａの上部から水平方向に延びる横溝５３ｂと、横溝５３ｂの延びた先から再び下降する落込溝５３ｃとを有している。縦溝５３ａの下部は、アンカーピン８を縦溝５３ａ内に誘導しやすいように拡幅している。内ポール３を引き上げる際には、縦溝５３ａ内に誘導されたアンカーピン８がガイドカバー６に当接するところで抜け止めとなる。この状態で内ポール３を軸回りに数十度回動させると、アンカーピン８が横溝５３ｂに沿って移動する。横溝５３ｂの突き当たりでアンカーピン８を落込溝５３ｃに落とし込むと、引き上げられた内ポール３が立設状態で保持される。
【０００５】
また、ビス７を抜いてガイドカバー６を取り外せば、上方に開口している縦溝５３ａを通じてアンカーピン８を抜き出すことができるので、内ポール３の取り外しも可能になる。
【特許文献１】特開平１０−８２０２４号公報
【特許文献２】特開平１０−２８０３４６号公報
【特許文献３】特開平１１−７１７２９号公報
【特許文献４】特開２００５−２２０６１８号公報
【発明の開示】
【発明が解決しようとする課題】
【０００６】
上記のような外パイプの上蓋構造において、ガイドカバー６やガイドブッシュ５は、万一の場合、例えば内ポール３が車両の衝突等によって損壊したり、内ポール３の昇降動作に不具合が生じたりした場合には、内ポール３を抜き出して修理や交換をできるように、着脱自在に取り付けられていなければならない。そこで、従来は、上蓋構造の固定手段として十字溝を有するビス７を利用してきた。
【０００７】
しかし、かかる構造によれば必然的に、図５に示すように、ガイドカバー６の上面に複数本のビス７の頭部が露出してしまう。雨水や汚れに曝される地表面にビス７の頭部が露出すると、その凹凸の隙間に土やゴミが詰まって美観が損なわれるほか、ビス７がいたずらで抜かれたり、例えばハイヒールの踵が引っ掛かるなど歩行面での障害を招くおそれもある。近年では、公共的空間におけるバリアフリー化が、様々な面できめ細かく要求されるようになっているので、この種物品の表面も、極力、凹凸なく平坦に仕上げることが望まれる。
【０００８】
本発明はかかる事情に鑑みてなされたもので、地表面に現れる上蓋部分の上面にビスの頭を露出させないように、上蓋上面を極力、平坦に仕上げ、かつ、必要に応じて上蓋部分も着脱し得るように構成した出没式柵柱の上蓋構造を提供するものである。
【課題を解決するための手段】
【０００９】
上記した目的を達成するため、本発明の出没式柵柱の上蓋構造は、地中に埋設される外パイプの上端開口に、筒部と鍔部とを有するガイドブッシュが挿装され、このガイドブッシュの鍔部が、外パイプの上端外周に取り付けられたフランジ部材に対してビス固定され、内ポール挿通孔が設けられた逆皿状のガイドカバーが上記ガイドブッシュに被せられ、ガイドカバーの周縁部内面に突設された係合爪がガイドブッシュの周縁部外面に形成された係合凹部に弾性的に係合することにより、ガイドカバーがガイドブッシュに嵌装されたことを特徴とする。
【００１０】
さらに本発明の出没式柵柱の上蓋構造は、上記ガイドブッシュの筒部内面に、内ポールに突設されたアンカーピンを案内するガイド溝が設けられ、このガイド溝は、下方に開口してガイドブッシュの上部近傍で行き止まる縦溝と、縦溝の上端から横向きに延びる横溝と、横溝の延長先から下降する落込溝と、上記縦溝の上端よりもやや低い位置から上記横溝の反対向きに延びる逃がし溝と、逃がし溝の延長先から上向きに延びて上方に開口する抜取溝とを有することを特徴とする。
【００１１】
さらに本発明の出没式柵柱の上蓋構造は、フランジ部材の外側に、周縁に襟部が立ち上げられた略皿状のガイドリングが取り付けられ、上記の襟部の内側にガイドカバーの周縁部が挿装されるとともに、上記鍔部の上端とガイドカバーの天面とが、地表面と面一になるように設置されたことを特徴とする。
【発明の効果】
【００１２】
上述のように構成される本発明の出没式柵柱の上蓋構造は、ガイドブッシュをフランジ部材にビス固定し、その上面にガイドカバーを嵌装する構成を採用したので、ガイドカバーの上面にはビスを全く露出させず、上面を平坦に仕上げることができる。したがって、意匠性が向上し、いたずらもされにくくなる。
【００１３】
内ポールを抜き取る場合には、内ポールに突設されたアンカーピンを、ガイドブッシュに形成した抜取溝を通じて引き上げることにより、ガイドカバーをアンカーピンに引っ掛けて取り外すことができる。
【発明を実施するための最良の形態】
【００１４】
以下、本発明の実施の形態について図を参照して説明する。本発明にかかる出没式柵柱１０の全体的な構成は、図３に示した従来の出没式柵柱１と同様である。
【００１５】
図１及び図２は、本発明の一実施形態にかかる外パイプ２の上蓋構造を示す。外パイプ２の上端に取り付けられるフランジ部材４は、図４に示した従来の上蓋構造にかかるフランジ部材４と特に相違はなく、短筒部４１の上縁から周方向に鍔片４２を張り出した形状をなしている。フランジ部材４の短筒部４１は外パイプ２の外周面に嵌装されて、溶接により固定される。
【００１６】
高潤滑性樹脂からなるガイドブッシュ５０は、図４に示した従来のガイドブッシュ５と同様に筒部５１と鍔部５２とを有し、筒部５１が外パイプ２の上端開口内に挿入されて、鍔部５２がフランジ部材４の鍔片４２上に重ねられる。ガイドブッシュ５０の鍔部５２には複数個のビス孔５４が設けられるとともに、フランジ部材４の鍔片４２には上記ビス孔５４に合致する雌ネジ孔４３がタッピングされ、上側から螺合されるビス７によってガイドブッシュ５０がフランジ部材４に対しビス固定される。
【００１７】
ガイドブッシュ５０の上面には、内ポール挿通孔６１が形成された逆皿状のガイドカバー６０が被せられる。このガイドカバー６０は、従来とは異なり、ビス孔のない平坦な天面を有している。そして、ガイドカバー６０の周縁部の内面に突設された複数個の係合爪６２を、ガイドブッシュ５０の周縁部外面に形成された複数個の係合凹部５５に弾性的に係合させて、ガイドブッシュ５０に嵌装される。こうして、上面にビス７を全く露出させずにガイドカバー６０を装着することにより、意匠性を向上させることができるとともに、ビス７へのいたずらも防ぐことができる。なお、ガイドカバー６０に形成する係合爪６２とガイドブッシュ５０に係合する係合凹部５５の形状は、例示の形態に限定されるものではなく、両者が適度な弾性をもって好適に係合しあうものであればよい。
【００１８】
上述のようにして、天面の平坦なガイドカバー６０が、いわゆる嵌め殺しの状態でガイドブッシュ５０に被せられてしまうと、内ポール３の修理や交換に際してガイドカバー６０を取り外すことが困難になる。そこで、本発明においては、ガイドブッシュ５０の内面に形成するガイド溝５３を改良して、ガイドカバー６０の着脱を可能にしている。
【００１９】
ガイド溝５３は、図１に示すように、下方に開口してガイドブッシュ５０の上部近傍で行き止まる縦溝５３ａと、縦溝５３ａの上端から横向きに延びる横溝５３ｂと、横溝５３ｂの延長先から下降する落込溝５３ｃと、上記縦溝５３ａの上端よりもやや低い位置から上記横溝５３ｂの反対向きに延びる逃がし溝５３ｄと、逃がし溝５３ｄの延長先から上向きに延びて上方に開口する抜取溝５３ｅとを有している。縦溝５３ａの下部は下方に開口して、内ポール３に突設されたアンカーピン８を縦溝５３ａ内に誘導しやすいように拡幅している。このガイド溝５３は、筒部５１の内面二ヶ所に相対して形成されている。
【００２０】
通常時の昇降操作では、内ポール３を引き上げ、縦溝５３ａ内に誘導されたアンカーピン８が縦溝５３ａの上端に突き当たるところで抜け止めとなり、この状態で内ポール３を、例示形態では右回りに数十度回動させると、アンカーピン８が横溝５３ｂに沿って移動し、横溝５３ｂの突き当たりでアンカーピン８が落込溝５３ｃに落ちこむことにより、内ポール３が立設状態で保持される。この案内構造は従来と同様である。ただし、内ポール３を引き上げたときにアンカーピン８がガイドカバー６０の裏面に当接するのを避けるため、縦溝５３ａがガイドブッシュ５０の上方には開口しないように、行き止まりとしている。
【００２１】
立設状態にある内ポール３を収納するときは、内ポール３を持ち上げて左回りに回動させる。すると、アンカーピン８は落込溝５３ｃの上端から横溝５３ｂに沿って案内され、その突き当たりで縦溝５３ａ内に入り、縦溝５３ａに沿って下降可能になる。
【００２２】
内ポール３を抜き取りたい場合には、内ポール３を引き上げてアンカーピン８が縦溝５３ａの上端に当接した状態から少しだけ下降させて、内ポール３を左回りに回動させる。すると、アンカーピン８が逃がし溝５３ｄを経由して抜取溝５３ｅへと誘導される。逃がし溝５３ｄの突き当たりから内ポール３を真っ直ぐ引き上げると、アンカーピン８は抜取溝５３ｅを通過してガイドカバー６０の裏面に引っ掛かり、ガイドカバー６０を持ち上げて、ガイドブッシュ５０から離脱させる。こうして、簡単ではありながらも部外者には分かりにくい操作によって、内ポール３の抜き取りが可能になる。
【００２３】
なお、上記の抜き取り操作は、ガイドブッシュ５０に嵌装されたガイドカバー６０を、いわゆる無理抜きによって取り外すものであるから、ガイドカバー６０に形成した係合爪６２又はガイドブッシュ５０に係合した係合凹部５５のいずれかが変形あるいは損傷するおそれもある。その場合は、当該部品を新しいものに交換して再設置することとする。
【００２４】
さらに本発明の出没式柵柱の上蓋構造においては、地表面ＧＬとの段差をなくして平坦に設置するために、フランジ部材４の外側に略皿状のガイドリング９を取り付ける納まりを採用している。ガイドリング９は、リング状の台輪部９１と、その周縁に立ち上げられた襟部９２とを有し、台輪部９１をフランジ部材４の鍔片４２に下側から溶接することにより、フランジ部材４と一体化される。襟部９２の内径は、ガイドカバー６０の外径よりも微小寸法だけ大きく、また、襟部９２の立ち上がり高さはガイドカバー６０の周縁部の高さと略同寸になるように形成されている。外パイプ２は、襟部９２の上端を地表面ＧＬと面一に揃えるようにして地中に埋設される。
【００２５】
こうして位置決めされたフランジ部材４にガイドブッシュ５０及びガイドカバー６０を取り付けることにより、襟部９２の上端と、ガイドカバー６０の天面とが、地表面ＧＬと面一に仕上げられる。かかる納まりを採用すれば、地中に埋設した外パイプ４と地表面ＧＬとの間を仕上げるときの施工性が向上するとともに、ガイドブッシュ５０やガイドカバー６０の周囲に土やゴミが入り込むのを防ぎやすくなって維持管理も容易になる。また、ガイドカバー６０の着脱に際して周縁部の地表面ＧＬが痛んだり崩れたりするのも防ぐことができる。なお、ガイドリング９は、フランジ部材４と予め一体的に形成されていてもよい。
【図面の簡単な説明】
【００２６】
【図１】本発明の実施形態にかかる出没式柵柱の上蓋構造の半断面図・半側面図である。
【図２】上記上蓋構造の分解斜視図である。
【図３】出没式柵柱の基本的な構造を示す側面図である。
【図４】従来の構成にかかる上蓋構造の半断面図・半側面図である。
【図５】従来の構成にかかる上蓋構造の上面図である。
【符号の説明】
【００２７】
１０    出没式柵柱
２      外パイプ
３      内ポール
５１    筒部
５２    鍔部
５０    ガイドブッシュ
４      フランジ部材
６１    内ポール挿通孔
６０    ガイドカバー
６２    係合爪
５５    係合凹部
８      アンカーピン
５３    ガイド溝
５３ａ  縦溝
５３ｂ  横溝
５３ｃ  落込溝
５３ｄ  逃がし溝
５３ｅ  抜取溝
９      ガイドリング
９２    襟部
ＧＬ    地表面
【図１】
0004686397.tif 000002
【図２】
0004686397.tif 000003
【図３】
0004686397.tif 000004
【図４】
0004686397.tif 000005
【図５】
0004686397.tif 000006